(57)【要約】      （修正有）【課題】使用者の利便性を高めることができる電源装置、モータ装置および送風装置を提供する。【解決手段】交流電圧から直流の駆動電圧を生成する第１電源回路１０と、駆動電圧を負荷に対して供給する駆動回路６０と、入力端子Ｃ１、Ｃ２、Ｃ３と、入力端子からの交流電圧から直流の動作電圧を生成する第２電源回路２０と、入力端子からの交流電圧に基づいて制御信号を出力する信号生成回路４１、４２、４３と、動作電圧にて動作されるとともに制御電圧を生成し、制御信号に基づいて駆動回路を制御する制御回路３０と、電力供給端子ＣＡと第１電源回路とを繋ぐ配線に配置された第１スイッチ素子を含むスイッチ回路５０と、を有する。スイッチ回路は、信号生成回路と同電位の接地点に接地され、制御信号ＳｇＣを受信している間、第１スイッチ素子をＯＮにする。【選択図】図２
2020198690.tif 000002
【特許請求の範囲】
【請求項１】
交流電源からの交流電圧を受けて直流の負荷の駆動および制御を行う電源装置であって、
前記交流電源に接続される電力供給端子と、
前記電力供給端子から供給された交流電圧から前記負荷の駆動に必要な直流の駆動電圧を生成する第１電源回路と、
前記駆動電圧を前記負荷に対して供給する駆動回路と、
前記交流電源に接続可能な入力端子と、
前記入力端子から入力された交流電圧を直流に変換したのちに直流の動作電圧を生成する第２電源回路と、
前記入力端子から入力される交流電圧に基づいて制御信号を出力する信号生成回路と、
前記動作電圧にて動作されるとともに制御電圧を生成し、前記制御信号に基づいて前記駆動回路を制御する制御回路と、
前記電力供給端子と前記第１電源回路とを繋ぐ配線に配置された第１スイッチ素子を含むスイッチ回路と、を有し、
前記スイッチ回路は、前記信号生成回路と同電位の接地点に接地され、前記制御信号を受信している間、前記第１スイッチ素子をＯＮにする電源装置。
【請求項２】
前記第２電源回路は、前記駆動電圧が供給されているときに前記駆動電圧を利用して前記動作電圧を生成する請求項１に記載の電源装置。
【請求項３】
前記制御回路は、前記動作電圧から直流の制御電圧を生成する請求項１または請求項２に記載の電源装置。
【請求項４】
前記信号生成回路は、前記制御電圧が供給されているときに前記制御信号を出力可能である請求項１から請求項３のいずれかに記載の宣言装置。
【請求項５】
前記信号生成回路は、
前記入力端子と前記接地点とを接続する第１分圧回路と、
前記第１分圧回路の出力端子と接地点とを接続するコンデンサと、
前記コンデンサと並列に接続されアノード側が前記接地点に接続されるツェナーダイオードと、
前記制御電圧が供給されるとともに前記接地点に接続される第２分圧回路と、
前記第２分圧回路と直列に接続されて、前記ツェナーダイオードのカソード側が制御端子に接続される第１トランジスタと、を有し、
前記第１トランジスタは、前記ツェナーダイオードのカソード側から供給される電圧に基づいて、前記第２分圧回路への前記制御電圧の供給を可能にする請求項４に記載の電源装置。
【請求項６】
前記第１電源回路は全波整流回路を含み、
前記第２電源回路は半波整流回路と、半波整流回路の後段に接続されたＤＣ／ＤＣ変換回路と、を含む、請求項１から請求項５のいずれかに記載の電源装置。
【請求項７】
前記スイッチ素子は、前記制御電圧を受けて動作するリレーである請求項１から請求項６のいずれかに記載の電源装置。
【請求項８】
前記スイッチ回路は、第２トランジスタを含み、
前記第２トランジスタは、前記リレーと接地点との間に配置され、前記制御信号の入力に基づいて、前記リレーと前記接地点とを導通状態または非導通にする請求項７に記載の電源装置。
【請求項９】
複数の前記入力端子を有し、
前記信号生成回路は、複数の前記入力端子ごとに複数備えられており、
各前記信号生成回路は、接続される入力端子ごとに異なる特性の制御信号を出力し、
前記制御回路は、前記制御信号の特性を判別可能である請求項１から請求項８のいずれかに記載の電源装置。
【請求項１０】
請求項１から請求項９のいずれかに記載の電源装置と、
前記電源装置から供給される電力によって回転される直流モータと、を有するモータ装置。
【請求項１１】
請求項１０に記載のモータ装置と、
前記モータ装置によって回転されるインペラと、を有する送風装置。
【発明の詳細な説明】
【技術分野】
【０００１】
本発明は、電源装置、モータ装置および送風装置に関する。
【背景技術】
【０００２】
ＷＯ２０１７−１３４８２４号に記載の電源装置は、交流電力を直流に整流する全波整流回路と、全波整流回路の出力電力を定電圧化して出力する電源回路と、負荷への直流電力の供給を開始する駆動信号出力回路と、を有する。
【０００３】
駆動信号出力回路は、スイッチが設けられており、使用者によってスイッチが押されたときに、駆動信号を出力し、負荷への直流電力の供給が開始される。また、スイッチがＯＦＦになった時には、負荷への直流電力の供給が停止される。
【先行技術文献】
【特許文献】
【０００４】
【特許文献１】ＷＯ２０１７−１３４８２４号
【発明の概要】
【発明が解決しようとする課題】
【０００５】
ＷＯ２０１７−１３４８２４号に記載の電源装置は、全波整流回路および電源回路よりも負荷側に駆動信号出力回路が設けられる。そのため、スイッチが押されるタイミングによっては、負荷に供給される直流電力がばらつき、負荷の動作が不安定になる虞がある。
【０００６】
また、スイッチは、直流電力の供給／遮断を切り替えるスイッチであり、負荷に供給される直流電力を使用者の要求に応じて調整する場合、使用者は、上述したスイッチ以外のスイッチの操作が必要となり、使用者の利便性が悪い。
【０００７】
そこで、本発明は、使用者の利便性を高めることができる電源装置、モータ装置および送風装置を提供することを目的とする。
【課題を解決するための手段】
【０００８】
本発明の例示的な電源装置は、交流電源に接続される電力供給端子と、前記電力供給端子から供給された交流電圧から前記負荷の駆動に必要な直流の駆動電圧を生成する第１電源回路と、前記駆動電圧を前記負荷に対して供給する駆動回路と、前記電力供給端子と並列に配置され、前記交流電源に接続可能な入力端子と、前記入力端子から入力された交流電圧を直流に変換したのちに直流の動作電圧を生成する第２電源回路と、前記第２電源回路と並列に配置され、前記入力端子から入力される交流電圧に基づいて制御信号を出力する信号生成回路と、前記動作電圧にて動作されるとともに制御電圧を生成し、前記制御信号に基づいて前記駆動回路を制御する制御回路と、前記電力供給端子と前記第１電源回路とを繋ぐ配線に配置された第１スイッチ素子を含むスイッチ回路と、を有し、前記スイッチ回路は、前記信号生成回路と同電位の接地点に接地され、前記制御信号を受信している間、前記第１スイッチ素子をＯＮにする。
【発明の効果】
【０００９】
本発明の例示的な電源装置、電源装置、モータ装置および送風装置によれば、使用者の利便性を高めることができる。
【図面の簡単な説明】
【００１０】
【図１】図１は、本発明に係る送風装置の一例を示す正面図である。
【図２】図２は、図１に示す送風装置に設けられるモータ装置の概略配線図である。
【図３】図３は、切り替えスイッチの等価回路である。
【図４】図４は、第１信号生成回路の一例の配線図である。
【図５】図５は、スイッチ回路の一例の配線図である。
【図６】図６は、第１ボタンスイッチを押した後の電源装置の動作を示すタイミングチャートである。
【図７】図７は、モータを停止するときの電源装置の動作を示すタイミングチャートである。
【発明を実施するための形態】
【００１１】
以下、本発明の例示的な実施形態について、図面を参照しながら詳細に説明する。以下の説明において、モータＭの中心軸Ｃｘと平行な方向を「軸方向」とする。また、中心軸Ｃｘに直交する方向を「径方向」とする。中心軸Ｃｘを中心とする円周方向を「周方向」とする。また、図１に示す、送風装置Ｆｎを基準として、上下左右を定義する。なお、上述した方向は説明のために用いるものであり、送風装置ＦｎおよびモータＭの使用状態における位置関係及び方向を限定するものではない。
【００１２】
また、図２、図４、図５等は、配線図である。以下の説明に用いる配線図において、直流電圧が供給される配線を実線で示す。交流電圧が供給される配線を太線の実線で示す。また、回路等の動作、停止等のトリガーとなる信号が入力される配線を破線で示す。
【００１３】
＜１．  送風装置Ａについて＞
図１は、本発明に係る送風装置Ｆｎの一例を示す正面図である。図２は、図１に示す送風装置Ｆｎに設けられるモータ装置２００の概略配線図である。図１に示すように、送風装置Ｆｎは、扇風機である。なお、図１に示す送風装置Ｆｎにおいて、中心軸Ｃｘは、紙面と直交する。
【００１４】
図１、図２に示すように、送風装置Ｆｎは、土台ＢＳと、支柱ＰＬと、モータ装置２００と、インペラＩｍと、を有する。モータ装置２００は、モータＭと、電源装置１００とを有する（図２参照）。モータＭは、直流電圧で駆動される。モータＭは、例えば、ブラシレス直流モータであるが、これに限定されない。直流電力で駆動するモータを広く採用できる。モータＭは、電源装置１００からの電力供給によって、中心軸Ｃｘ周りに回転されるシャフト（不図示）を有する。
【００１５】
土台ＢＳは、送風装置Ｆｎの台座である。土台ＢＳは、例えば、直方体、円柱状である。土台ＢＳは、内部に空間を有し、モータ装置２００の電源装置１００が収容される。支柱ＰＬは、土台ＢＳの上面から上方に延びる。支柱ＰＬの上端には、モータＭが取り付けられる。支柱ＰＬも土台ＢＳと同様、内部に空間を有する。支柱ＰＬの内部の空間には、電源装置１００からモータＭに電力を供給する電力線（不図示）が配置される。
【００１６】
インペラＩｍは、モータＭのシャフトに固定され、シャフトの回転によって中心軸周りに回転される。インペラＩｍは、インペラカップＩｍ１と、羽根Ｉｍ２と、を有する。インペラカップＩｍ１は、中心軸Ｃｘと直交する方向に拡がる蓋部を有する有蓋円筒状であり、蓋部の径方向外縁より軸方向に延びる筒部を有する。インペラＩｍは、３個の羽根Ｉｍ２が周方向に等間隔に配置される。なお、羽根Ｉｍ２は、３個に限定されない。また、羽根Ｉｍ２の配置は、等間隔でなくてもよい。
【００１７】
羽根Ｉｍ２は、インペラカップＩｍ１の径方向外縁から径方向外側に延びる。羽根Ｉｍ２は、軸方向の両端が周方向にずれている。そのため、インペラＩｍが回転することで、軸方向に沿う気流が発生する。
【００１８】
土台ＢＳには、切り替えスイッチＣＷが設けられる。切り替えスイッチＣＷには、土台ＢＳの上面に突出する４個のボタンスイッチＢｔ０、Ｂｔ１、Ｂｔ２およびＢｔ３が備えられる。ボタンスイッチＢｔ０、Ｂｔ１、Ｂｔ２およびＢｔ３は、それぞれ、使用者により押下されるスイッチである。
【００１９】
なお、以下の説明において、ボタンスイッチＢｔ１、Ｂｔ２、Ｂｔ３を、それぞれ、第１ボタンスイッチＢｔ１、第２ボタンスイッチＢｔ２、第３ボタンスイッチＢｔ３とする場合がある。ボタンスイッチＢｔ１、Ｂｔ２およびＢｔ３は、一度操作されると他のボタンスイッチが操作されるまで、操作状態を保持する。
【００２０】
ボタンスイッチＢｔ１、Ｂｔ２およびＢｔ３は、例えば、送風装置ＦｎのＯＮおよび風量の調整、すなわち、モータＭの回転速度の調整に用いられる。なお、本実施形態の送風装置では、ボタンスイッチＢｔ１が押されることで、モータＭは、弱（低速回転）で動作する。ボタンスイッチＢｔ２が押されることで、モータＭは、中（中速回転）で動作する。さらに、ボタンスイッチＢｔ３が押されることで、モータＭは、強（高速回転）で動作する。
【００２１】
ボタンスイッチＢｔ０は、操作後に元に戻るスイッチである。操作状態が維持されたボタンスイッチがある場合、そのボタンスイッチの操作状態を解除する。なお、以下の説明において、ボタンスイッチＢｔ０を切りボタンスイッチＢｔ０とする場合がある。
【００２２】
また、土台ＢＳには、先端にコネクタＣｔが設けられたケーブルＣｂが設けられる。コネクタＣｔは、例えば、居室の壁面に設けられるコンセント（不図示）に接続し、交流電力線に接続される。つまり、送風装置Ｆｎには、コネクタＣｔおよびケーブルＣｂを介して、交流電圧Ｖａｃが供給される。つまり、ケーブルＣｂは、交流配線の一部である。
【００２３】
＜２．  電源装置１００＞
電源装置１００は、交流電圧Ｖａｃを受けて直流電力で動作するブラシレス直流モータＭを駆動する。すなわち、電源装置１００は、交流電源からの交流電圧Ｖａｃを受けて直流の負荷Ｍの駆動および制御を行う。図２に示すように、電源装置１００は、第１電源回路１０と、第２電源回路２０と、制御回路３０と、第１信号生成回路４１と、第２信号生成回路４２と、第３信号生成回路４３と、スイッチ回路５０と、駆動回路６０とを有する。また、電源装置１００は、電力供給端子ＣＡと、第１入力端子Ｃ１と、第２入力端子Ｃ２と、第３入力端子Ｃ３とを有する。
【００２４】
＜２．１  端子ＣＡ、Ｃ１、Ｃ２、Ｃ３＞
電源装置１００は、電力供給端子ＣＡと、第１入力端子Ｃ１と、第２入力端子Ｃ２と、第３入力端子Ｃ３とを有する。電力供給端子ＣＡは、交流電源に接続される。また、電源装置１００は、複数の入力端子Ｃ１、Ｃ２、Ｃ３を有する。図２に示すとおり、電力供給端子ＣＡは、ケーブルＣｂに接続されており、ケーブルＣｂから交流電圧Ｖａｃを受ける。つまり、本実施形態において、交流電源は、ケーブルＣｂおよびコネクタＣｔを介して接続される交流電力線である。しかしながら、これに限定されず、交流の電力を供給できる構成を広く採用することができる。
【００２５】
第１入力端子Ｃ１、第２入力端子Ｃ２および第３入力端子Ｃ３は、交流電源に接続可能である。第１入力端子Ｃ１、第２入力端子Ｃ２および第３入力端子Ｃ３は、切り替えスイッチＣＷに接続される。
【００２６】
ここで、切り替えスイッチＣＷについて図面を参照して詳しく説明する。図３は、切り替えスイッチＣＷの等価回路である。図２、図３に示すように、切り替えスイッチＣＷは、交流配線の一方に接続される。切り替えスイッチＣＷは、交流電圧に対応したスイッチである。なお、交流配線は、例えば、定電圧（例えば、接地電圧）の中性線と、中性線に対して電圧が入れ替わる電力線とを有する場合がある。このような場合、交流配線の一方は、電力線である。なお、切り替えスイッチＣＷが常に中性線と電力線との電圧を検出できる構成であれば、どちらの配線に接続されてもよい。
【００２７】
切り替えスイッチＣＷは、交流配線が接続される接続端子Ｔｂ、第１出力端子Ｔｎ１、第２出力端子Ｔｎ２、第３出力端子Ｔｎ３および切断端子Ｔｎ０を有する。第１出力端子Ｔｎ１は、第１入力端子Ｃ１と接続する。第２出力端子Ｔｎ２は、第２入力端子Ｃ２と接続する。第３出力端子Ｔｎ３は、第３入力端子Ｃ３と接続する。
【００２８】
切り替えスイッチＣＷにおいて、接続端子Ｔｂは、第１出力端子Ｔｎ１、第２出力端子Ｔｎ２および第３出力端子Ｔｎ３のいずれか一つと電気的に接続される。例えば、切り替えスイッチＣＷにおいて、第１ボタンスイッチＢｔ１が押下されたとき、接続端子Ｔｂと第１出力端子Ｔｎ１とが接続される。第２ボタンスイッチＢｔ２が押下されたとき、接続端子Ｔｂと第２出力端子Ｔｎ２とが接続される。第３ボタンスイッチＢｔ３が押下されたとき、接続端子Ｔｂと第３出力端子Ｔｎ３とが接続される。
【００２９】
さらに、切りボタンスイッチＢｔ０が押下されたとき、接続端子Ｔｂと切断端子Ｔｎ０とが接続される。しかしながら、これに限定されず、切りボタンスイッチＢｔ０が押下されたとき接続端子Ｔｂと各出力端子とを離してもよい。また、これ以外の構成であってもよい。
【００３０】
以上のことから、切り替えスイッチＣＷは、第１ボタンスイッチＢｔ１が押されると、第１入力端子Ｃ１に、交流電圧Ｖａｃを供給する。第２ボタンスイッチＢｔ２が押されると、第２入力端子Ｃ２に、交流電圧Ｖａｃを供給する。第３ボタンスイッチＢｔ３が押されると、第３入力端子Ｃ３に、交流電圧Ｖａｃを供給する。
【００３１】
なお、切り替えスイッチＣＷは、チョークコイルを用いて交流モータの速度を切り替えるスイッチの回路と同じ回路を利用可能である。そのため、切り替えスイッチＣＷの回路の詳細については省略する。
【００３２】
＜２．２  第１電源回路１０＞
図２に示すように、電源装置１００は、電力供給端子ＣＡに接続された電力配線Ｌ１を有する。電力配線Ｌ１は交流電力が供給される配線であり、２本の配線を有する。電力配線Ｌ１は、電力供給端子ＣＡと第１電源回路１０とを接続する。第１電源回路１０には、交流電圧が供給される。
【００３３】
第１電源回路１０は、交流電圧Ｖａｃから駆動電圧Ｖｄｃを生成する回路である。第１電源回路１０は、例えば、ダイオードブリッジを含む、いわゆる、全波整流回路を含む。すなわち、第１電源回路１０は、電力供給端子ＣＡから供給された交流電圧Ｖａｃから負荷Ｍの駆動に必要な直流の駆動電圧Ｖｄｃを生成する。また、第１電源回路１０は全波整流回路を含む。なお、駆動電圧Ｖｄｃは、モータＭの駆動に必要な電圧であり、後述する動作電圧Ｖｃｃ１、制御電圧Ｖｃｃ２よりも高電圧であるが、これに限定されない。
【００３４】
＜２．３  第２電源回路２０＞
図２に示す第２電源回路２０は、入力された交流電圧から動作電圧Ｖｃｃ１を供給する回路である。図２に示すように、第２電源回路２０は、第１入力端子Ｃ１、第２入力端子Ｃ２および第３入力端子Ｃ３と接続する。なお、図２に示す電源装置１００において、第１入力端子Ｃ１、第２入力端子Ｃ２および第３入力端子Ｃ３からの配線はそれぞれ個別に第２電源回路２０に接続しているが、これに限定されない。すべての端子からの配線をいったんまとめて第２電源回路２０の１つの端子に接続される構成であってもよい。
【００３５】
第２電源回路２０は、第１入力端子Ｃ１、第２入力端子Ｃ２および第３入力端子Ｃ３のいずれかに供給された交流電圧Ｖａｃを受ける。なお、以下の説明では、必要に応じて、第１入力端子Ｃ１、第２入力端子Ｃ２、第３入力端子Ｃ３のそれぞれから受ける交流電圧Ｖａｃを、それぞれ、第１入力電圧Ｖａｃ１、第２入力電圧Ｖａｃ２および第３入力電圧Ｖａｃ３とする場合がある。第１入力電圧Ｖａｃ１、第２入力電圧Ｖａｃ２および第３入力電圧Ｖａｃ３は同じ電圧である。
【００３６】
第２電源回路２０は、半波整流回路２１と、半波整流回路２１の後段に接続されたＤＣ／ＤＣ変換回路２２と、を含む。半波整流回路２１は、例えば、ダイオードとコンデンサとを用いた従来周知の回路である。半波整流回路２１によって、第１入力端子Ｃ１、第２入力端子Ｃ２および第３入力端子Ｃ３のいずれかから入力された交流電圧Ｖａｃの半波だけを整流して直流の電圧を生成する。
【００３７】
ＤＣ／ＤＣ変換回路２２は、半波整流回路２１で生成された電圧を変換して、直流の動作電圧Ｖｃｃ１を生成する。なお、ＤＣ／ＤＣ変換回路２２は、従来周知の回路であり、詳細な説明は省略する。すなわち、第２電源回路２０は、入力端子Ｃ１、Ｃ２、Ｃ３から入力された交流電圧Ｖａｃ１、Ｖａｃ２、Ｖａｃ３を直流に変換したのちに直流の動作電圧Ｖｃｃ１を生成する。
【００３８】
動作電圧Ｖｃｃ１は、制御回路３０、駆動回路６０を駆動させることができる電圧である。制御回路３０および駆動回路６０の消費電力は、モータＭの消費電力に比べて低い。そのため、動作電圧Ｖｃｃ１を生成する第２電源回路２０では、整流後の電力が小さい半波整流回路を採用でき、第２電源回路２０の回路構成を簡略化できる。つまり、電源装置１００の構成を簡略化することができる。
【００３９】
また、図２に示すように、第１電源回路１０で生成された駆動電圧Ｖｄｃも第２電源回路２０に入力される。第２電源回路２０において駆動電圧Ｖｄｃは、交流電圧Ｖａｃをバイアスする。駆動電圧Ｖｄｃが生成が開始された後、第２電源回路２０は、駆動電圧Ｖｄｃでバイアスされた交流電圧Ｖａｃを整流して、動作電圧Ｖｃｃ１を生成する。
【００４０】
すなわち、第２電源回路２０は、駆動電圧Ｖｄｃが供給されているときに駆動電圧Ｖｄｃを利用して動作電圧Ｖｃｃ１を生成する。交流電圧Ｖａｃが駆動電圧Ｖｄｃでバイアスされるため、交流電圧Ｖａｃだけを利用する場合に比べて安定した動作電圧Ｖｃｃ１を出力することができる。なお、動作電圧Ｖｃｃ１が第２電源回路２０に入力する場合、各入力端子Ｃ１、Ｃ２、Ｃ３から第２電源回路２０への交流電圧の供給を遮断してもよい。
【００４１】
＜２．４  信号生成回路４１、４２、４３＞
第１入力端子Ｃ１、第２入力端子Ｃ２および第３入力端子Ｃ３には、第１信号生成回路４１、第２信号生成回路４２および第３信号生成回路４３がそれぞれ接続される。図２に示すように、第１信号生成回路４１、第２信号生成回路４２および第３信号生成回路４３は、第１入力端子Ｃ１、第２入力端子Ｃ２および第３入力端子Ｃ３から見て、第２電源回路２０と並列に接続される。
【００４２】
つまり、第１信号生成回路４１には、交流電圧である第１入力電圧Ｖａｃ１が入力される。第１信号生成回路４１は、第１入力電圧Ｖａｃ１から第１制御信号ＳｇＬを出力する。第２信号生成回路４２は、第２入力電圧Ｖａｃ２から第２制御信号ＳｇＭを出力する。第３信号生成回路４３は、第３入力電圧Ｖａｃ３から第３制御信号ＳｇＨを出力する。すなわち、入力端子Ｃ１、Ｃ２、Ｃ３から入力される交流電圧Ｖａｃ１、Ｖａｃ２、Ｖａｃ３に基づいて制御信号ＳｇＬ、ＳｇＭ、ＳｇＨを出力する。
【００４３】
信号生成回路の詳細について、図面を参照して説明する。第１信号生成回路４１、第２信号生成回路４２および第３信号生成回路４３は、一部を除いて同じ回路である。そのため、以下の説明では、３個の信号生成回路を代表して第１信号生成回路４１を参照して説明する。図４は、第１信号生成回路４１の一例の配線図である。
【００４４】
図４に示すように、第１信号生成回路４１は、第１分圧回路４１１と、第２分圧回路４１２と、コンデンサＣ４１と、ツェナーダイオードＺＤ４１と、第１トランジスタＱ４１とを有する。第１分圧回路４１１は、第１入力端子Ｃ１とフレーム接地点Ｇｒｓとを接続する。なお、フレーム接地点Ｇｒｓは、筐体の接地点であり電源装置１００の基準電圧である。また、電源装置１００には、大地接地点Ｇｒｒも有する。大地接地点Ｇｒｒは、電力線に対する接地点である。
【００４５】
第１分圧回路４１１は、第１抵抗Ｒ４１１と、第２抵抗Ｒ４１２とを直列に接続している。第１抵抗Ｒ４１１と第２抵抗Ｒ４１２との接続点が出力端子である。第１分圧回路４１１は、第１入力端子Ｃ１からの電圧を取り出す。すなわち、信号生成回路４１は、入力端子Ｃ１と接地点Ｇｒｓとを接続する第１分圧回路４１１を有する。
【００４６】
コンデンサＣ４１は、第１分圧回路４１１の出力端子とフレーム接地点Ｇｒｓとを接続する。また、ツェナーダイオードＺＤ４１は、コンデンサＣ４１と並列に接続される。ツェナーダイオードＺＤ４１のアノード側がフレーム接地点Ｇｒｓに接続される。第１分圧回路４１１の出力端子とツェナーダイオードＺＤ４１のカソード側とは接続されており、第１トランジスタＱ４１のベースに接続される。
【００４７】
コンデンサＣ４１とツェナーダイオードＺＤ４１とによって、直流の電圧が生成される。つまり、第１信号生成回路４１は、交流の第１入力電圧Ｖａｃ１に基づいて直流の電圧を生成し、第１トランジスタＱ４１のベースに入力させる。
【００４８】
なお、本実施形態では、コンデンサＣ４１と第１分圧回路４１１とを接続する配線に、第４抵抗Ｒ４１４を有する。また、コンデンサＣ４１とツェナーダイオードＺＤ４１のカソード側とをつなぐ配線に第５抵抗Ｒ４１５を有する。第４抵抗Ｒ４１４と第５抵抗Ｒ５１５の抵抗値を調整することで、第１信号生成回路４１に交流の第１入力電圧Ｖａｃ１が入力しても、第１トランジスタＱ４１のベースに直流の第１トランジスタＱ４１を動作させ続ける電圧を印加できる。
【００４９】
第２分圧回路４１２には制御回路３０で生成される後述の制御電圧Ｖｃｃ２が供給されるとともに、第２分圧回路４１２はフレーム接地点Ｇｒｓに接続される。すなわち、第２分圧回路４１２には、制御電圧Ｖｃｃ２が供給されるとともに、第２分圧回路４１２は接地点Ｇｒｓに接続される。第２分圧回路４１２は、判別用抵抗Ｒｘと、第３抵抗Ｒ４１３とが直列に接続されている。そして、判別用抵抗Ｒｘと第３抵抗Ｒ４１３との接続点が、第２分圧回路４１２の出力端子である。出力端子から出力される電圧が、第１制御信号ＳｇＬである。第１制御信号ＳｇＬは、制御回路３０に入力する。
【００５０】
第１トランジスタＱ４１は、ｎｐｎ型バイポーラトランジスタである。なお、第１トランジスタＱ４１は、ｎｐｎ型バイポーラトランジスタに限定されず、例えば、電界効果トランジスタ（ＦＥＴ：Ｆｉｅｌｄ Ｅｆｆｅｃｔ Ｔｒａｎｓｉｓｔｏｒ）、ＭＯＳＦＥＴ（ＭＯＳ型ＦＥＴ）、ＩＧＢＴ等であってもよい。また、トランジスタに限定されず、所定の信号の入力に基づいて、ＯＮ／ＯＦＦが切り替わる素子を広く採用できる。なお、バイポーラ型トランジスタのベース、ＦＥＴのゲート等、トランジスタをスイッチング素子として用いるときに、ＯＮ／ＯＦＦトリガー信号を受け入れる端子を制御端子とする。
【００５１】
第１トランジスタＱ４１は、第２分圧回路と直列に接続される。つまり、第１トランジスタＱ４１のコレクタには、制御電圧Ｖｃｃ２が入力される。第１トランジスタＱ４１のエミッタは、第２分圧回路４１２を介して、フレーム接地点Ｇｒｓに接続される。第１トランジスタＱ４１のベースには、上述のとおり、第１分圧回路４１１の出力端子とツェナーダイオードＺＤ４１のカソード側とが接続される。すなわち、第１トランジスタＱ４１は、第２分圧回路４１２と直列に接続されて、ツェナーダイオードＺＤ４１のカソード側が制御端子（ベース）に接続される。
【００５２】
第１トランジスタＱ４１では、ベースエミッタ間電圧が閾値以上になったとき、コレクタエミッタ間に電流が流れる。つまり、コンデンサＣ４１とツェナーダイオードＺＤ４１から、一定電圧以上の直流電圧が入力されたとき、第１トランジスタＱ４１のコレクタエミッタ間が導通され、制御電圧Ｖｃｃ２が第２分圧回路４１２に供給される。すなわち、第１トランジスタＱ４１は、ツェナーダイオードＺＤ４１のカソード側から供給される電圧に基づいて、第２分圧回路４１２への制御電圧Ｖｃｃ２を供給可能にする。
【００５３】
第１信号生成回路４１は、第２分圧回路４１２の出力を制御信号ＳｇＬとして、制御回路３０に出力する。つまり、信号生成回路は、簡単な構成で、交流の第１入力電圧Ｖａｃ１から直流の第１制御信号ＳｇＬを得ることが可能である。
【００５４】
第１信号生成回路４１は、制御電圧Ｖｃｃ２が供給されているときに制御信号ＳｇＬを出力する。すなわち、信号生成回路４１は、制御電圧Ｖｃｃ２が供給されているときに制御信号ＳｇＬを出力する。制御回路３０の起動動作が完了する前に信号生成回路４１、４２、４３から制御信号ＳｇＣがスイッチ回路５０に供給されることを抑制できる。これにより、制御回路３０の起動が完了して駆動回路６０が制御されている状態で駆動電圧Ｖｄｃの出力を開始させることができ、安全にかつ確実にモータＭを回転させることができる。
【００５５】
なお、制御回路３０による駆動回路６０が制御されている状態で、信号制御回路に制御信号ＳｇＣを出力する回路（例えば、遅延回路、マスク回路等）を備えていれば、上述の構成に限定されない。例えば、上述した回路を備えている場合、信号制御回路には、制御電圧Ｖｃｃ２ではなく、動作電圧Ｖｃｃ１が供給されてもよい。この場合、制御回路３０から制御電圧Ｖｃｃ２を生成する回路を省略してもよい。
【００５６】
分圧回路の出力は、直列に接続された抵抗の抵抗値によって変化する。電源装置１００において、第１信号生成回路４１、第２信号生成回路４２および第３信号生成回路４３は、それぞれ、抵抗値が異なる判別用抵抗Ｒｘを有する。第１信号生成回路４１と、第２信号生成回路４２と、第３信号生成回路４３とは、判別用抵抗Ｒｘ以外の構成が同じ構成である。これにより、第１信号生成回路４１、第２信号生成回路４２および第３信号生成回路４３から、それぞれ、異なる電圧の第１制御信号ＳｇＬ、第２制御信号ＳｇＭおよび第３制御信号ＳｇＨが出力される。
【００５７】
すなわち、信号生成回路は、複数の入力端子Ｃ１、Ｃ２、Ｃ３ごとに複数備えられている。各信号生成回路４１、４２、４３は、接続される入力端子Ｃ１、Ｃ２、Ｃ３ごとに異なる特性（ここでは、電圧）の制御信号ＳｇＬ、ＳｇＭ、ＳｇＨを出力する。
【００５８】
各信号生成回路４１、４２、４３から出力される制御信号ＳｇＬ、ＳｇＭ、ＳｇＨは異なる電圧であり、制御回路３０は制御信号ＳｇＬ、ＳｇＭ、ＳｇＨの判別が容易になる。
【００５９】
なお、以上示した信号生成回路は、一例であり、これに限定されない。入力端子から見て、第２電源回路２０と並列に接続可能であるとともに、入力電圧から制御信号を取り出すことができる回路を広く採用することができる。
【００６０】
＜２．５  スイッチ回路５０＞
図２に示すように、スイッチ回路５０は、電力配線Ｌ１に含まれる２個の配線の一方に配置される。スイッチ回路５０を切り替えることで、電力配線Ｌ１が接続または切断される。スイッチ回路５０によって、第１電源回路１０への電力の供給が制御される。スイッチ回路５０の詳細について、新たな図面を参照して説明する。図５は、スイッチ回路５０の一例の配線図である。
【００６１】
図５に示すように、スイッチ回路５０は、リレー５１と、第２トランジスタＱ５１と、ベース抵抗Ｒ５１と、ベースエミッタ間抵抗Ｒ５２とを有する。リレー５１は、第１スイッチ素子の一例である。リレー５１は、開閉部５１１と、コイル５１２と、第１端子５１３と、第２端子５１４と、第３端子５１５と、第４端子５１６とを有する。
【００６２】
図５に示すように、開閉部５１１は、配線の開閉を切り替えるスイッチである。開閉部５１１の少なくとも一部には、磁性材料が含まれており、コイル５１２の励磁によって吸引され、閉状態になる。開閉部５１１の一方が第１端子５１３と接続し、他方が第３端子５１５と接続する。つまり、開閉部５１１が閉じたとき、第１端子５１３と第３端子５１５とが閉じられ、第１端子５１３と第３端子５１５とが接続される。
【００６３】
コイル５１２は、電磁コイルであり、電流を流すことで励磁される。上述したとおり、コイル５１２が励磁されることで、開閉部５１１は、閉状態になる。コイル５１２は、第２端子５１４および第４端子５１６と、に接続される。
【００６４】
リレー５１において、第１端子５１３および第３端子５１５が電力配線Ｌ１に接続される。すなわち、スイッチ回路５０は、電力供給端子ＣＡと第１電源回路１０とを繋ぐ配線Ｌ１に配置された第１スイッチ素子５１を含む。開閉部５１１が開状態のとき、電力配線Ｌ１が開状態になり第１電源回路１０に交流電圧Ｖａｃが供給されない。開閉部５１１が閉状態のとき、電力配線Ｌ１は閉状態になり第１電源回路１０に交流電圧Ｖａｃが供給される。
【００６５】
第２端子５１４には、動作電圧Ｖｃｃ１が供給される。また、第４端子５１６は、第２トランジスタＱ５１のコレクタに接続される。
【００６６】
第２トランジスタＱ５１は、ｎｐｎ型バイポーラトランジスタである。また、第２トランジスタＱ５１も第１トランジスタＱ４１と同様、バイポーラトランジスタ以外の素子を用いてもよい。第２トランジスタＱ５１のコレクタは、上述のとおり、リレー５１の第４端子５１６が接続される。第２トランジスタＱ５１のエミッタは、フレーム接地点Ｇｒｓに接続される。これにより、スイッチ回路５０の基準電位と信号生成回路４１、４２、４３の基準電位とが一致する。
【００６７】
第２トランジスタＱ５１には、制御信号ＳｇＣが入力される。制御信号ＳｇＣは、第１制御信号ＳｇＬ、第２制御信号ＳｇＭおよび第３制御信号ＳｇＨのいずれかである。図２に示すように、電源装置１００では、第１信号生成回路４１の出力、第２信号生成回路４２の出力および第３信号生成回路４３の出力がすべて、スイッチ回路５０に入力している。そして、図５に示すように、これらの信号は、いずれも、第２トランジスタＱ５１のベースに入力する。つまり、電源装置１００では、第１入力端子Ｃ１、第２入力端子Ｃ２および第３入力端子Ｃ３のいずれの入力端子に入力電圧が供給された場合であっても、第２トランジスタＱ５１には、制御信号ＳｇＣが入力される。
【００６８】
第２トランジスタＱ５１には、ベース抵抗Ｒ５１と、ベースエミッタ間抵抗Ｒ５２とが接続される。ベース抵抗Ｒ５１およびベースエミッタ間抵抗Ｒ５２は、第２トランジスタＱ５１の保護、安定動作のための抵抗であり、周知の技術である。そのため、これらの抵抗の詳細については、省略する。
【００６９】
第２トランジスタＱ５１のベースに制御信号ＳｇＣが入力したとき、第２トランジスタＱ５１のコレクタエミッタ間は電流が流れる。つまり、動作電圧Ｖｃｃ１が、コイル５１２に供給される。これにより、コイル５１２には電流が流れ、励磁される。コイル５１２の励磁によって開閉部５１１が閉じられて電力配線Ｌ１が閉状態になり、第１電源回路１０に交流電圧Ｖａｃが供給される。すなわち、スイッチ回路５０において、制御電圧Ｖｃｃ２を受けて動作するリレー５１がスイッチ素子である。リレー５１を用いることで、簡単な構成で、第１電源回路１０に交流電圧の供給を制限できる。
【００７０】
すなわち、スイッチ回路５０は、信号生成回路４１と同電位の接地点Ｇｒｓに接地され、制御信号ＳｇＣを受信している間、第１スイッチ素子５１をＯＮにする。さらに詳しく説明すると、スイッチ回路５０は、第２トランジスタＱ５１を含み、第２トランジスタＱ５１は、リレー５１と接地点Ｇｒｓとの間に配置され、制御信号ＳｇＣの入力に基づいて、リレー５１と接地点Ｇｒｓとを導通状態または非導通にする。これにより、簡単な構成で、制御信号ＳｇＣに基づいて、リレー５１を駆動することができる。
【００７１】
＜２．５  制御回路３０＞
制御回路３０は、モータＭの回転速度、動作時間等を決定する処理回路を含む。制御回路３０は、例えば、ＣＰＵ、ＭＰＵ等の演算装置を含む。制御回路３０には、第１信号生成回路４１から出力された第１制御信号ＳｇＬ、第２信号生成回路４２から出力された第２制御信号ＳｇＭ、第３信号生成回路４３から出力された第３制御信号ＳｇＨが入力される。
【００７２】
第１制御信号ＳｇＬ、第２制御信号ＳｇＭおよび第３制御信号ＳｇＨはそれぞれ電圧が異なる。そのため、制御回路３０は、それぞれ異なる電圧の信号を判別できる判別回路（不図示）を含む。つまり、制御回路３０は、入力される信号の特性から、信号を判別できる判別回路を含む。なお、判別回路による判別する特性は、電圧に限定されない。
【００７３】
第１制御信号ＳｇＬ、第２制御信号ＳｇＭおよび第３制御信号ＳｇＨが、電圧以外の特性（例えば、周波数）が異なる信号の場合もある。判別回路は、これらの特性の違いを判別できる回路であればよい。つまり、判別回路は、入力される信号を判別するために信号の特性を判別できる。図２では、第１制御信号ＳｇＬ、第２制御信号ＳｇＭおよび第３制御信号ＳｇＨは、それぞれ、独立して制御回路３０に入力しているが、実際には１つの端子（判別回路につながる端子）に接続されればよい。
【００７４】
また、第１制御信号ＳｇＬ、第２制御信号ＳｇＭおよび第３制御信号ＳｇＨが、デジタル信号であってもよい。この場合、図２に示すように、各信号がそれぞれ独立して入力されることで、入力された制御信号を判別可能である。なお、これら以外にも、制御信号を判別できる方法を広く採用する。
【００７５】
制御回路３０には、動作電圧Ｖｃｃ１が供給される。制御回路３０は、動作電圧Ｖｃｃ１で駆動される。制御回路３０は、動作電圧Ｖｃｃ１から制御電圧Ｖｃｃ２を生成する。そして、制御回路３０は、第１信号生成回路４１、第２信号生成回路４２および第３信号生成回路４３に制御電圧Ｖｃｃ２を供給する。なお、制御電圧Ｖｃｃ２は、直流であるが、これに限定されない。
【００７６】
すなわち、制御回路３０は、動作電圧Ｖｃｃ１から直流の制御電圧Ｖｃｃ２を生成する。このようにすることで、制御回路３０の起動動作が完了するまえに信号生成回路４１、４２、４３から制御信号ＳｇＣがスイッチ回路５０に供給されることを抑制できる。これにより、制御回路３０の起動完了後に駆動電圧Ｖｄｃの出力を開始させることができる。これにより、安全にかつ確実にモータＭを回転させることができる。
【００７７】
上述したとおり、弱（低速回転）に対応したＢｔ１が押下されたとき、第１信号生成回路４１が第１制御信号ＳｇＬを出力する。そのため、第１制御信号ＳｇＬは、モータＭの低速回転を指示する信号である。また、中（中速回転）に対応したＢｔ２が押下されたとき、第２信号生成回路４２が第２制御信号ＳｇＭを出力する。そのため、第２制御信号ＳｇＭは、モータＭの中速回転を指示する信号である。さらに、強（高速回転）に対応したＢｔ３が押下されたとき、第３信号生成回路４３が第３制御信号ＳｇＨを出力する。そのため、第３制御信号ＳｇＨは、モータＭの高速回転を指示する信号である。
【００７８】
制御回路３０は、第１制御信号ＳｇＬ、第２制御信号ＳｇＭおよび第３制御信号ＳｇＨのいずれかが入力されたとき、判別回路にて、入力された信号の種類を判別する。そして、制御回路３０は、判別された信号に応じた回転数でモータＭを回転させる指示を含む、駆動信号ＳｇＤを駆動回路６０に出力する。例えば、第１制御信号ＳｇＬを受けたときには、モータＭを低回転数で回転させる駆動信号ＳｇＤを駆動回路６０に出力する。第２制御信号ＳｇＭ、第３制御信号ＳｇＨを受信した場合も同様である。すなわち、制御回路３０は、動作電圧Ｖｃｃ１にて動作されるとともに制御電圧Ｖｃｃ２を生成し、制御信号ＳｇＬ、ＳｇＭ、ＳｇＨに基づいて駆動回路６０を制御する。
【００７９】
＜２．６  駆動回路６０＞
駆動回路６０は、モータＭに接続される。駆動回路６０には、第１電源回路１０からの駆動電圧Ｖｄｃ、第２電源回路２０からの動作電圧Ｖｃｃ１が入力される。駆動回路６０は、動作電圧Ｖｃｃ１にて駆動される。そして、駆動回路６０には、制御回路３０から駆動信号ＳｇＤが入力される。
【００８０】
駆動回路６０に接続されるモータＭは、ブラシレス直流モータである。例えば、モータＭは、３個の位相が異なる電圧を適切なタイミングで供給することで回転する。そのため、駆動回路６０は、駆動電圧から位相が異なる電圧を生成し、モータＭに供給する。すなわち、駆動回路６０は、駆動電圧Ｖｄｃを負荷Ｍに対して供給する。駆動回路６０は、いわゆるインバータである。
【００８１】
本実施形態にかかる電源装置１００は、以上示した構成を有する。
【００８２】
＜３．  電源装置１００の動作＞
以下に、電源装置１００の動作について説明する。図６は、第１ボタンスイッチＢｔ１を押した後の電源装置１００の動作を示すタイミングチャートである。なお、図６に示すタイミングチャートは、概略図であり、概念的な動作を示している。そのため、実際の電源装置１００の動作とは異なる場合がある。また、図６のタイミングチャートでは、停止状態の送風装置Ｆｎの第１ボタンスイッチＢｔ１を押したときの動作を示している。そのため、タイミングチャートにおいて、第１ボタンスイッチＢｔ１の動作に関係する箇所、すなわち、第１出力端子Ｔｎ１、第１入力電圧Ｖａｃ１、第１制御信号ＳｇＬのみを記載し、他のボタンスイッチ、入力電圧および制御信号の記載は省略している。
【００８３】
第１電源回路１０には、スイッチ回路５０（リレー５１）がＯＮのときにだけ交流電圧Ｖａｃが供給される。以下の説明では、電力供給端子ＣＡを介して供給される交流電圧Ｖａｃと区別するため、スイッチ回路５０がＯＮのときに第１電源回路１０に供給される交流電圧を電源入力電圧Ｖａｃ０とする。なお、スイッチ回路５０による切断はあるが、それ以外は、電源入力電圧Ｖａｃ０と交流電圧Ｖａｃは同じである。
【００８４】
図６に示すタイミングチャートは横軸を時間としている。また、図６に示すタイミングチャートでは、上から、交流電圧Ｖａｃ、電源入力電圧Ｖａｃ０、第１入力電圧Ｖａｃ１、第１出力端子Ｔｎ１、動作電圧Ｖｃｃ１、制御電圧Ｖｃｃ２、制御信号ＳｇＬ（ＳｇＣ）、駆動信号ＳｇＤ、開閉部５１１および駆動電圧Ｖｄｃを配置している。なお、第１出力端子Ｔｎ１、開閉部５１１については、開状態をＬ状態で示し、閉状態をＨ状態で示す。また、制御信号ＳｇＬ（ＳｇＣ）、駆動信号ＳｇＤについては、信号が出力されている状態をＨ状態として示す。
【００８５】
図６に示すように、電源装置１００には、交流電圧Ｖａｃが供給されている。そして、時刻ｔ１１に第１ボタンスイッチＢｔ１が押されると、切り替えスイッチＣＷの接続端子Ｔｂと、第１出力端子Ｔｎ１とが接続される。これにより、時刻ｔ１１において、第１入力端子Ｃ１から第１入力電圧Ｖａｃ１が入力される。
【００８６】
第１入力端子Ｃ１から入力した第１入力電圧Ｖａｃ１は、第２電源回路２０および第１信号生成回路４１に入力する。図６に示すように、時刻ｔ１１において、制御電圧Ｖｃｃ２は生成されていない。そのため、第１信号生成回路４１は停止中であり、第１入力電圧Ｖａｃ１が入力しても、第１信号生成回路４１は動作しない。一方、第１入力電圧Ｖａｃ１は、第２電源回路２０の半波整流回路２１に入力する。これにより、交流の第１入力電圧Ｖａｃ１は、半波整流される。そして、ＤＣ／ＤＣ変換回路２２にて、所定の電圧の直流に変換され、時刻ｔ１２に動作電圧Ｖｃｃ１として出力される。なお、時刻ｔ１１から時刻ｔ１２までの時間は、第２電源回路２０の回路構成によって変更可能であるが、第１入力電圧Ｖａｃ１が入力ないときには、動作電圧Ｖｃｃ１が出力されない。
【００８７】
上述したとおり、動作電圧Ｖｃｃ１は、制御回路３０、スイッチ回路５０および駆動回路６０に供給される。つまり、時刻ｔ１２に、制御回路３０および駆動回路６０は、動作を開始する。また、スイッチ回路５０は、動作電圧Ｖｃｃ１が入力されると動作可能な状態、つまり、スタンバイ状態となる。
【００８８】
そして、制御回路３０は、入力された動作電圧Ｖｃｃ１に基づいて制御電圧Ｖｃｃ２を生成する。制御回路３０は、時刻ｔ１３に制御電圧Ｖｃｃ２を出力する。制御電圧Ｖｃｃ２は、第１信号生成回路４１、第２信号生成回路４２および第３信号生成回路４３に供給される。すなわち、時刻ｔ１３において、第１信号生成回路４１、第２信号生成回路４２および第３信号生成回路４３は、動作開始または動作可能な状態になる。なお、時刻ｔ１２から時刻ｔ１３までの時間は、制御回路３０の回路構成によって変更可能であるが、動作電圧Ｖｃｃ１が制御回路３０に入力されないとき、制御電圧Ｖｃｃ２は出力されない。
【００８９】
時刻ｔ１３において、第１入力端子Ｃ１から第１信号生成回路４１に第１入力電圧Ｖａｃ１が入力されている。そのため、第１信号生成回路４１では、時刻ｔ１３から動作を開始する。そして、第１信号生成回路４１は、時刻ｔ１４に第１制御信号ＳｇＬを出力する。また、第１制御信号ＳｇＬは、制御信号ＳｇＣとしてスイッチ回路５０に出力する。なお、時刻ｔ１３から時刻ｔ１４までの時間は、第１信号生成回路４１の回路構成によって変更可能であるが、制御電圧Ｖｃｃ２が第１信号生成回路４１に入力されないとき、制御信号ＳｇＬを出力しない。
【００９０】
スイッチ回路５０では、制御信号ＳｇＣでは、時刻ｔ１４から動作を開始する。そして、スイッチ回路５０では、制御信号ＳｇＣが入力されたのち、すなわち、時刻ｔ１５において、リレー５１が動作し、開閉部５１１が閉じる。これにより、電源入力電圧Ｖａｃ０が第１電源回路１０に入力される。これより、第１電源回路１０が駆動を開始し、駆動電圧Ｖｄｃが出力される。なお、時刻ｔ１４から時刻ｔ１５までの時間は、スイッチ回路５０の回路構成によって変更可能であるが、制御信号ＳｇＣがスイッチ回路５０に入力されないとき、第１電源回路１０に電源入力電圧Ｖａｃ０は入力されない。
【００９１】
そして、駆動電圧Ｖｄｃが駆動回路６０に入力した後、時刻ｔ１６にて、制御回路３０から駆動回路６０に駆動信号ＳｇＤが出力される。駆動回路６０は、駆動信号ＳｇＤの入力に従って、モータＭに駆動電圧を供給する。つまり、電源装置１００では、時刻ｔ１６においてモータＭへの電力供給が開始されて、モータＭは回転を開始する。なお、時刻ｔ１５から時刻ｔ１６までの時間は、制御回路３０の回路構成によって変更可能であるが、動作電圧Ｖｃｃ１が制御回路３０に入力されるまで、制御電圧Ｖｃｃ２は出力されない。
【００９２】
このように、電源装置１００を備えたモータ装置２００では、動作スイッチである第１ボタンスイッチＢｔ１が押下されたとき、制御回路３０の起動が完了し、駆動回路６０が制御回路３０に制御された状態となった後、モータＭを駆動するための駆動電圧Ｖｄｃが生成される。そのため、モータＭの誤作動を抑制できる。
【００９３】
なお、上述の説明では、第１ボタンスイッチＢｔ１が押されたときについて、説明したが、第２ボタンスイッチＢｔ２が押された場合も同様の動作が行われ、第１ボタンスイッチＢｔ１が押された場合よりも高速回転でモータＭが回転する。さらに、第３ボタンスイッチＢｔ３が押された場合も同様の動作が行われ、第２ボタンスイッチＢｔ２が押された場合よりも高速回転でモータＭが回転する。
【００９４】
次に、動作状態のモータＭを停止するときの電源装置１００の動作について説明する。図７は、モータＭを停止するときの電源装置１００の動作を示すタイミングチャートである。
【００９５】
図７に示すように、モータＭが回転しているとき、第１電源回路１０から駆動回路６０に駆動電圧Ｖｄｃが供給されているとともに、制御回路３０から駆動回路６０に駆動信号ＳｇＤが出力されている。
【００９６】
この状態で、時刻ｔ２１に切りボタンスイッチＢｔ０が押されると、接続端子Ｔｂと第１出力端子Ｔｎ１との接続が切れる。これにより、第１入力電圧Ｖａｃ１が切断される。そして、一定時間経過後に第１信号生成回路４１からの第１制御信号ＳｇＬの出力が停止する（時刻ｔ２２）。なお、時刻ｔ２１から時刻ｔ２２までの時間は、第１信号生成回路４１の回路構成による。また、第１制御信号ＳｇＬが停止したときに、リレー５１には、電力が供給されなくなり開閉部５１１が開く。これにより、第１電源回路１０に供給される電源入力電圧Ｖａｃ０が供給されなくなり、駆動電圧Ｖｄｃの出力が停止される。
【００９７】
電源装置１００において、第２電源回路２０および制御回路３０は、モータＭの動作を安全に停止させる構成となっている。そのため、第２電源回路２０、制御回路３０は、第１入力電圧Ｖａｃ１の供給が停止した後、駆動信号ＳｇＤの出力を停止し（時刻ｔ２３）、制御電圧Ｖｃｃ２の出力を停止（時刻ｔ２４）した後、動作電圧Ｖｃｃ１の出力を停止する（時刻ｔ２５）。なお、電源装置１００では、以上の操作を行うことができる第２電源回路２０および制御回路３０の回路構成を有する。
【００９８】
上述の説明では、第１ボタンスイッチＢｔ１が押されていた状態について、説明したが、第２ボタンスイッチＢｔ２が押されていた場合も同様の動作が行われ、モータＭが停止する。さらに、第３ボタンスイッチＢｔ３が押されていた場合も同様の動作が行われ、モータＭが停止する。
【００９９】
上述したとおり、電源装置１００は、モータＭの始動時には、モータＭを駆動するための駆動電圧Ｖｄｃが出力される前に、制御回路３０および駆動回路６０を駆動させておくことができる。これにより、制御回路３０および駆動回路６０の起動動作が完了する前に駆動回路６０に駆動電圧Ｖｄｃが供給されることを制限し、起動動作の途中で駆動電圧Ｖｄｃが供給されたことによるモータＭの誤作動を抑制できる。
【０１００】
また、このような構成の電源装置１００では、第１ボタンスイッチＢｔ１、第２ボタンスイッチＢｔ２、第３ボタンスイッチＢｔ３を押すことで、それぞれのボタンに設定された回転速度でモータＭを安全に駆動できる。これにより、従来の交流モータを用いたスイッチと同じ操作手順で、直流のモータＭを操作することが可能である。これにより、使用者の利便性を高めることが可能である。さらに、交流モータに比べて、消費電力が少ない直流モータを駆動するため、消費電力を提言することができる。
【０１０１】
また、本発明にかかるモータ装置は、送風装置だけでなく、回転体を回転させる動力源として広く採用することが可能である。さらには、本発明にかかる電源装置は、直流の負荷であるとともに、交流電力が供給される電気機器の電源回路として用いることができる。また、電源装置が電力を供給する負荷は、モータに限定さない。例えば、ＬＥＤ等の直流駆動の電気機器であればよい。駆動回路は、負荷の動作に対応した構成が採用される。
【０１０２】
以上、本発明の実施形態について説明したが、本発明はこの内容に限定されるものではない。また本発明の実施形態は、発明の趣旨を逸脱しない限り、種々の改変を加えることが可能である。
【符号の説明】
【０１０３】
１０      第１電源回路
２０      第２電源回路
２１      半波整流回路
２２      ＤＣ変換回路
３０      制御回路
４１      第１信号生成回路
４１１      第１分圧回路
４１２      第２分圧回路
４２      第２信号生成回路
４３      第３信号生成回路
５０      スイッチ回路
５１      リレー
５１１      開閉部
５１２      コイル
５１３      第１端子
５１４      第２端子
５１５      第３端子
５１６      第４端子
６０      駆動回路
１００      電源装置
２００      モータ装置
Ａ      送風装置
ＢＳ      土台
Ｂｔ      土台
Ｂｔ０      切りボタンスイッチ
Ｂｔ１      第１ボタンスイッチ
Ｂｔ２      第２ボタンスイッチ
Ｂｔ３      第３ボタンスイッチ
ＣＷ      切り替えスイッチ
Ｃｂ      ケーブル
Ｃｔ      コネクタ
ＣＡ      電力供給端子
Ｃ１      第１入力端子
Ｃ２      第２入力端子
Ｃ３      第３入力端子
Ｃ４１      コンデンサ
Ｆｎ      送風装置
Ｇｒｒ      大地接地点
Ｇｒｓ      フレーム接地点
Ｉｍ      インペラ
Ｉｍ１      インペラカップ
Ｉｍ２      羽根
Ｌ１      電力配線
Ｍ      モータ
ＰＬ      支柱
Ｑ４１      第１トランジスタ
Ｑ５１      第２トランジスタ
Ｒ４１１      第１抵抗
Ｒ４１２      第２抵抗
Ｒ４１３      第３抵抗
Ｒ５１      ベース抵抗
Ｒ５２      ベースエミッタ間抵抗
Ｒｘ      判別用抵抗
ＳｇＣ      制御信号
ＳｇＤ      駆動信号
ＳｇＨ      第３制御信号
ＳｇＬ      第１制御信号
ＳｇＭ      第２制御信号
Ｔｂ      接続端子
Ｔｎ０      切断端子
Ｔｎ１      第１出力端子
Ｔｎ２      第２出力端子
Ｔｎ３      第３出力端子
Ｖａｃ      第１入力電圧
Ｖａｃ      交流電圧
Ｖａｃ０      電源入力電圧
Ｖａｃ１      第１入力電圧
Ｖａｃ２      第２入力電圧
Ｖａｃ３      第３入力電圧
Ｖｃｃ１      動作電圧
Ｖｃｃ２      制御電圧
Ｖｄｃ      駆動電圧
ＺＤ４１      ツェナーダイオード
【図１】
2020198690.tif 000003
【図２】
2020198690.tif 000004
【図３】
2020198690.tif 000005
【図４】
2020198690.tif 000006
【図５】
2020198690.tif 000007
【図６】
2020198690.tif 000008
【図７】
2020198690.tif 000009